(57)【要約】【課題】４０〜５０代女性の体形にフィットした婦人服を制作するための服飾用ボディーを提案すること。【解決手段】４０〜５０代女性用の婦人服を制作するために用いる服飾用ボディー１は、ＪＩＳ規格に基づく寸法、４０〜５０代女性の体形・寸法に関する統計データなどに基づき、４０〜５０代女性のヌードボディー１を制作し、このヌードボディ１の各部分の形状および寸法を、ファンデーション着用状態における人体各部分の形状および寸法の変化と、靴着用に伴う身長増加を考慮して、修正し、修正後の各部分の形状および寸法に基づき制作されている。実際の婦人服着用時の体形に基づき制作された服飾用ボディー１を用いることにより、４０〜５０代女性の体形にフィットした婦人服を簡単に制作できる。【選択図】　　　図２
2004091945.tif 000002
【特許請求の範囲】
【請求項１】
婦人服などを創るための工業用パターンの作成に用いる、服飾用ボディーの制作方法において、
ＪＩＳ規格による女性の体型や寸法等に関するヌードサイズの統計データを用い、年代を特定するとともに下着等を着用することによる、人体各部位の形状や寸法の変化を加味し制作することを特徴とする服飾用ボディーの制作方法。
【請求項２】
請求項１において、
前記特定した女性のバストのヌードサイズに対して、ブラジャー着用による形状・寸法変化を考慮して、前バストで厚みと高さを加える修正と、アンダーバストを上方に移動する修正、乳頭点を上方かつ内側に修正する修正のうち、少なくとも一つの修正を施すことを特徴とする服飾用ボディーの制作方法。
【請求項３】
請求項２において、
バスト寸法を前バストで約３．５ｃｍ増加させ、その乳頭点を約１ｃｍ上げることを特徴とする服飾用ボディーの制作方法。
【請求項４】
請求項１、２または３において、
前記女性のウエストおよびヒップのヌードサイズに対して、ガードル着用による形状・寸法変化を考慮して、ウエスト位置に括れをつける修正と、ウエスト寸法を小さくする修正、後ヒップに厚みを加える修正と、後ヒップ位置を高くする修正のうち、少なくとも一つの修正を施すことを特徴とする服飾用ボディーの制作方法。
【請求項５】
請求項４において、
ウエスト寸法を約５ｃｍ小さくし、後ヒップに約１ｃｍの厚みを加え、後ヒップ位置を約１ｃｍ高くする修正を施すことを特徴とする服飾用ボディーの制作方法。
【請求項６】
請求項１ないし５のうちのいずれかの項において、
前記特定した年代の女性の身長に、靴を履くことによる身長増加分を考慮して作成した服飾用ボディーの制作方法。
【請求項７】
請求項６において、
約４ｃｍの身長増加分を加えることを特徴とする服飾用ボディーの制作方法。
【請求項８】
請求項１ないし７のうちのいずれかの項に記載の服飾用ボディーの制作方法により制作されたことを特徴とする服飾用ボディー。
【請求項９】
請求項８に記載の服飾用ボディーを用いて、婦人服の各部分の工業用パターンを作成することを特徴とする婦人服制作方法。
【発明の詳細な説明】
【０００１】
【発明の属する技術分野】
本発明は、女性、特に４０〜５０代女性の人体形状の特徴を捉えた上で、審美性、機能性に優れた婦人服の設計を服飾デザイナーやパターンメーカが具現化するのに有効な服飾用ボディーに関するものである。
【０００２】
【従来の技術】
婦人服などのデザインやパターン制作に当たっては、女性の体形を形どった首からピップまでの部分がスタンドに取り付けらた構成の服飾用ボディーが用いられている。この服飾用ボディーの形状および寸法は、一般に、ＪＩＳ規格に基づいたものとされている。ＪＩＳデータは、女性のヌード体形に基づく形状および寸法である。
【０００３】
【発明が解決しようとする課題】
ここで、服着用時にはブラジャーやガードルなどのファンデーションを着用している。ファンデーション着用の目的は、下がったバストをアップさせて美しく整えるため、下がったヒップや出っ張ったヒップを美しく整えるため、おなかをただ押し込むのではなく、全体のバランスで整えるため、より立体感のある体形に整えるためなどである。
【０００４】
従って、服着用時におけるボディー形状および寸法は、一般的に使用されているヌードボディーとは異なったものとなっている。しかしながら、従来における服飾用ボディーの制作に当たっては、ファンデーション着用に伴う体形・寸法の変化を全く考慮していない。このため、女性の体形に合った、着心地が良く、しかも立体感（分量感）のある婦人服を制作するためには、一般に、ヌードボディーに基づくパターンを経験に頼って修正するなどの作業が必要である。
【０００５】
また、ＪＩＳデータは素足の状態での計測により得られたものであるが、服着用時には靴を履いている状態が普通である。例えば、４０代、５０代の女性で一番多く着用されている４．５ｃｍのヒールを履いた状態では身長がその分高くなるので、服を履いた状態での身長に基づき婦人服などをデザインする必要がある。従来においては、この点についても何ら考慮されることなく、服飾用ボディーが制作されているのが実情である。
【０００６】
本発明の課題は、このような点に鑑みて、ファンデーションや靴の着用による女性のヌードボディーの変化を考慮して女性用の服飾用ボディーを制作する方法を提案することにある。
【０００７】
【課題を解決するための手段】
上記の課題を解決するために、本発明は、婦人服などを創るための工業用パターンの作成に用いる、服飾用ボディーの制作方法において、
ＪＩＳ規格による女性の体型や寸法等に関するヌードサイズの統計データを用い、年代を特定するとともに下着等を着用することによる、人体各部位の形状や寸法の変化を加味し制作することを特徴としている。
【０００８】
ここで、前記特定した女性のバストのヌードサイズに対して、ブラジャー着用による形状・寸法変化を考慮して、前バストで厚みと高さを加える修正と、アンダーバストを上方に移動する修正、乳頭点を上方かつ内側に修正する修正のうち、少なくとも一つの修正を施すことが望ましい。
【０００９】
この場合、バスト寸法を前バストで約３．５ｃｍ増加させ、その乳頭点を約１ｃｍ上げることが望ましい。
【００１０】
また、前記女性のウエストおよびヒップのヌードサイズに対して、ガードル着用による形状・寸法変化を考慮して、ウエスト位置に括れをつける修正と、ウエスト寸法を小さくする修正、後ヒップに厚みを加える修正と、後ヒップ位置を高くする修正のうち、少なくとも一つの修正を施すことが望ましい。
【００１１】
この場合、ウエスト寸法を約５ｃｍ小さくし、後ヒップに約１ｃｍの厚みを加え、後ヒップ位置を約１ｃｍ高くする修正を施すことが望ましい。
【００１２】
また、本発明による服飾用ボディーの制作に当たっては、前記特定した年代の女性の身長に、靴を履くことによる身長増加分を考慮することが望ましい。この場合、約４ｃｍの身長増加分を加えることが望ましい。
【００１３】
一方、本発明は服飾用ボディーに関するものであり、上記の方法によって制作されたことを特徴としている。
【００１４】
また、本発明は婦人服制作方法に関するものであり、この服飾用ボディーを用いて婦人服の各部分の工業用パターンを作成することを特徴としている。
【００１５】
【発明の実施の形態】
以下に、図面を参照して、本発明の実施例を説明する。
【００１６】
図１は、４０〜５０代女性の婦人服サイズ満足度を向上させるために、本発明を適用して制作した服飾用ボディーの一例を示す図であり、図１（ａ）はその正面図であり、図１（ｂ）はその背面図である。また、図１（ｃ）はその全体のプロポーションを示す側面図である。図において番号１〜１８で示す各部分の寸法については、表１において詳細を説明してある。また、表１には、本例の服飾用ボディー１の基本寸法と特色を纏めて一覧表にしてある。
【００１７】
【表１】
2004091945.tif 000003
【００１８】
次に、図２を参照して、本例の服飾ボディーの制作方法を説明する。まず、ＪＩＳ規格に基づく寸法、４０〜５０代女性の体形・寸法に関する統計データなどに基づき、４０〜５０代女性用のヌードボディーを制作する。このヌードボディー２は従来において服飾用ボディーとして用いられているものであり、図においては想像線で示してある。
【００１９】
この服飾用ボディーの各部分の寸法は、例えば、表２に示す通りである。表２は、成人女子の人体計測データ（ＪＩＳ　Ｌ４００５−１９９７）「数値データと解析」の第１２０、１２１頁、５，２「過去の計測値との比較」４５〜４９，１９９２−９４よりの抜粋である。
【００２０】
【表２】
2004091945.tif 000004
【００２１】
次に、このヌードボディ２の各部分の形状および寸法を、ファンデーション着用状態における人体各部分の形状および寸法の変化を考慮して、修正する。同時に、４０〜５０代女性が履く平均的なヒール高さを考慮して身長を約４ｃｍだけ増加させ、プロポーションの変化修正を施す。
【００２２】
まず、４０〜５０代女性のヌード体形はブラジャー着用により補正されるので、ヌードボディー２のバストの位置、厚みは矢印Ａで示すように、ブラジャー着用により増加する。これに伴いアンダーバストの位置が上方に移動し、乳頭点が上に移動し、また、頚側点から直下の前バストラインまでの距離が後バストラインまでの距離よりも長くなる。本願人による計測によれば、４０〜５０代女性の場合には、バストの位置、厚みは平均して約３．５ｃｍ増加し、乳頭点が上に約１ｃｍ上がり、アンダーバストが若干上に移動し、前丈が約１．０ｃｍ長くなることが確認された。
【００２３】
図２において実線で示す本例の服飾用ボディー１では、ブラジャー着用による各部分の変化に対応するように、ヌードボディー２のバストに対して、前バストで約３．５ｃｍの厚みと高さを加える修正と、アンダーバストを僅かに上側にずらす修正と、乳頭点を約１ｃｍ上側にずらす修正と、前丈を約１．０ｃｍ長くする修正を施してある。
【００２４】
また、４０〜５０代女性のヌード体形はガードル着用により補正されるので、そのヌードボディー２のウエスト位置は矢印Ｂで示すように自然な括れができる。また、矢印Ｃで示すようにおなかがへこみ、全体的に丸みができる。さらに、矢印Ｄで示すように、後ヒップ位置が高くなる。本願人等による計測によれば、４０〜５０代女性の場合には、ウエスト寸法が平均で約５ｃｍ小さくなり、後ヒップが約１ｃｍ厚くなり、後ヒップ位置が約１ｃｍ高くなることが確認された。
【００２５】
これに基づき、図２において実線で示す本例の服飾用ボディー１においては、ガードル着用による各部分の変化に対応するように、ヌードボディー２のウエストおよびヒップに対して、ウエスト位置に括れを付ける修正と、ウエスト寸法を約５ｃｍ小さくする修正と、後ヒップに１ｃｍの厚みを加える修正と、後ヒップ位置を１ｃｍ高くする修正を施してある。
【００２６】
なお、矢印Ｅで示す頚部周辺は、付け根がやや曖昧なため、やや細めにして、その計測位置を分かりやすくするための修正を施してある。
【００２７】
このように、本例の服飾用ボディー１は、４０〜５０代女性の平均的なヌードボディー１の形状・寸法に対して、ファンデーション着用による体形変化と、ヒール着用による身長増加とを考慮して、修正を施している。この結果、本例の服飾用ボディー１は、４０〜５０代の女性が実際に婦人服を着用する状態におけるボディープロポーションに一致した形状・寸法になっている。従って、この服飾用ボディー１を用いて、婦人服の各部分の工業用パターンを作成すれば、従来に比べて、４０〜５０代女性の体形により一層フィットした婦人服を簡単に制作することができる。
（その他の実施の形態）
なお、上記の例は、４０〜５０代女性の婦人服制作用の服飾用ボディーについてのものであるが、４０〜５０代以外の年代の女性服を制作するための服飾用ボディーも、ファンデーション着用によるプロポーション変化を考慮して同様に制作することができる。
【００２８】
【発明の効果】
以上説明したように、本発明においては、婦人服などの制作のために用いる服飾用ボディーを、一般的に使用されているヌードボディーに対して、ファンデーション着用に伴う各部分の形状・寸法の変化、および靴着用に伴う身長の増加を考慮して修正を施すことにより、制作することを特徴としている。従って、本発明によれば、従来に比べて、女性の体形によりフィットした婦人服などを簡単に制作することが可能になる。
【図面の簡単な説明】
【図１】（ａ）は本発明を適用して制作された４０〜５０代女性用の服飾用ボディーを示す正面寸法図、（ｂ）はその背面寸法図であり、（ｃ）は全体のプロポーションを示す側面寸法図である。
【図２】（ａ）〜（ｃ）は、それぞれ、図１の服飾用ボディーの制作方法および特徴を示すための正面寸法図、側面寸法図および背面寸法図である。
【符号の説明】
１　　服飾用ボディー
２　　ヌードボディー
【図１】
2004091945.tif 000005
【図２】
2004091945.tif 000006